(57)【要約】      （修正有）【課題】施工性の向上を図ることができる柵のビーム取付構造を提供する。【解決手段】取付金具を第１金具３と第２金具４から構成し、前記第１金具３及び第２金具４を、支柱１側面に周状にその内面が当接する帯状部３１、４１を間隔をあけて少なくとも二個以上備えると共に、前記帯状部３１、４１の両端に相対向して形成した縦板状の柵ビーム取付部３２、４２に柵ビーム２を取付け、第１金具３の二個の帯状部３１の間に第２金具４の二個の帯状部４１が位置するようにして、第１金具３の帯状部３１と第２金具４の帯状部４１とを支柱１に当接すると共に第２金具４の前記二個の帯状部４１の間において支柱１に締着された金具取付ボルトＢ１により、第２金具４の支柱１に対する上下動を阻止するようになしているため、第１金具３と第２金具４とを同時に一個の金具取付ボルトＢ１で支柱に締着することができ、施工性を大幅に向上させることができる。【選択図】  図１
2008019624.tif 000002
【特許請求の範囲】
【請求項１】
間隔をおいて立設された二個の支柱の相対向する側壁間に取付金具を介して柵ビームが架設された柵のビーム取付構造であって、取付金具は第１金具と第２金具からなり、前記第１金具及び第２金具は、支柱側面に周状にその内面が当接する帯状部を間隔をあけて少なくとも二個以上備えると共に、前記帯状部の両端に相対向して形成された縦板状の柵ビーム取付部に柵ビームが取付けられ、第１金具の二個の帯状部の間に第２金具の二個の帯状部が位置するようにして、第１金具の帯状部と第２金具の帯状部とが支柱に当接されると共に第２金具の前記二個の帯状部の間において支柱に締着された金具取付ボルトにより、第２金具の支柱に対する上下動が阻止されたことを特徴とする柵のビーム取付構造。
【発明の詳細な説明】
【技術分野】
【０００１】
本発明は道路等に設置されるパネル柵やビーム柵、メッシュフェンス柵等の柵のビーム取付構造に関するものである。
【背景技術】
【０００２】
従来、道路等に設置される柵ビームの取付構造としては、例えば特許文献１には、傾斜地に鉛直に植立された複数本の支柱と、これら支柱の間に前記傾斜地に対してほぼ平行に差し渡されビームと、これらビームと前記支柱の間に介装された上り継手及び下り継手とから構成され、前記各継手は、ビームの中心線を結ぶ傾斜基線に関して下側の受けと、前記傾斜基線に関して上側の蓋と、前記ビームの端部に上側から蓋をかつ下側から受けを同時に締付けたナットと、前記支柱のネジ孔に受けを締付けた横ボルトとから構成され、前記受けは、上開放半筒形の受け筒と、その基端内側に外周縁が固定された、支柱の外周に沿った取付板と、前記受け筒の先下部に形成された締付孔と、前記取付板に傾斜基線に関して上側に位置するように形成された上孔と、同じく傾斜基線に関して下側に位置するように形成された下孔とから構成され、前記蓋は、下開放半筒形の蓋筒と、その先端内側に固定されるかまたは蓋筒先端部に挿通された縦ボルトとから構成された傾斜地用金具を用いた防護柵のビーム取付構造が開示されている。
【０００３】
【特許文献１】特開平７−８２７１６号公報
【発明の開示】
【発明が解決しようとする課題】
【０００４】
しかしながら、上記の柵ビームの取付構造では、上り継手と下り継手とを支柱に取付ける際には、上り継手及び下り継手の受けを各々横ボルトで支柱のネジ孔に螺着して固定しているため、上り継手の受けを横ボルトで支柱に固定する作業と下り継手の受けを横ボルトで支柱に固定する作業を別々に行わざるを得ず、施工性において改善の余地を残すものであった。
【０００５】
そこで本発明は、施工性の向上を図ることができる柵のビーム取付構造を提供せんとするものである。
【課題を解決するための手段】
【０００６】
上記目的を達成するために、本発明は次のような構成としている。
すなわち、本発明に係る柵のビーム取付構造は、間隔をおいて立設された二個の支柱の相対向する側壁間に取付金具を介して柵ビームが架設された柵のビーム取付構造であって、取付金具は第１金具と第２金具からなり、前記第１金具及び第２金具は、支柱側面に周状にその内面が当接する帯状部を間隔をあけて少なくとも二個以上備えると共に、前記帯状部の両端に相対向して形成された縦板状の柵ビーム取付部に柵ビームが取付けられ、第１金具の二個の帯状部の間に第２金具の二個の帯状部が位置するようにして、第１金具の帯状部と第２金具の帯状部とが支柱に当接されると共に第２金具の前記二個の帯状部の間において支柱に締着された金具取付ボルトにより、第２金具の支柱に対する上下動が阻止されたことを特徴とするものである。
【発明の効果】
【０００７】
本発明によれば、取付金具を第１金具と第２金具から構成し、前記第１金具及び第２金具を、支柱側面に周状にその内面が当接する帯状部を間隔をあけて少なくとも二個以上備えると共に、前記帯状部の両端に相対向して形成した縦板状の柵ビーム取付部に柵ビームを取付け、第１金具の二個の帯状部の間に第２金具の二個の帯状部が位置するようにして、第１金具の帯状部と第２金具の帯状部とを支柱に当接すると共に第２金具の前記二個の帯状部の間において支柱に締着された金具取付ボルトにより、第２金具の支柱に対する上下動を阻止するようになしているため、第１金具と第２金具とを同時に一個の金具取付ボルトで支柱に締着することができ、施工性を大幅に向上させることができる。
【０００８】
また、上記の如く、取付金具を支柱に取付けた際に、第１金具の二個の帯状部の間に第２金具の二個の帯状部が位置するようにしているため、第１金具は第２金具と支柱によって保持された状態になり、作業者は第２金具のみを片手で支え、もう一方の手で金具取付ボルトを支柱に螺着する作業を行うことができるので、更に作業性の向上を図ることができる。
【発明を実施するための最良の形態】
【０００９】
本発明の実施の形態について、図面に基づき以下に具体的に説明する。
すなわち、図１は本発明に係る柵のビーム取付構造の実施の一形態を示す分解斜視図、図２は図１に示す取付金具のうち第１金具の、（イ）は正面図、（ロ）は左側面図、（ハ）は平面図、図３は図１に示す取付金具のうち第２金具の、（イ）は正面図、（ロ）は右側面図、（ハ）は平面図、図４は本発明に係る柵のビーム取付構造の別の実施形態を示す分解斜視図、図５は図４に示す取付金具のうち第１金具の、（イ）は正面図、（ロ）は左側面図、（ハ）は平面図、図６は図４に示す取付金具のうち第２金具の、（イ）は正面図、（ロ）は右側面図、（ハ）は平面図である。
【００１０】
１は支柱であり、その下部は地中に埋設され適宜間隔で複数本地表に立設される。この支柱１の正面側と背面側の適宜位置に金具取付用ボルト孔１１が相対して同一水準で穿設されている。支柱１の頂部にはキャップ１２が取付られ、見栄えを良くすると共に、雨水などが支柱１の内面に流入するのを防いでいる。支柱１は断面円形状等の適宜断面形状の金属管で作製され、その表面は塗装やメッキ等の処理が施されている。また、キャップ１２下部には全周にわたって帯状の反射体Ｒが巻回されて取付けられており、視線誘導効果を呈している。
【００１１】
２は柵ビームであり、複数の支柱１の相対向する側壁間に取付金具である第１金具３と第２金具４とを介して架設されている。柵ビーム２の端部側面には相対して同一水準で柵ビーム取付孔２１が穿設されている。柵ビーム２も、一般的に従来から用いられている断面円形状等の適宜断面形状の金属管で作製され、その表面は塗装やメッキ等の処理が施されている。
【００１２】
取付金具は前記の如く、第１金具３と第２金具４で構成されている。第１金具３は、支柱１の側面に沿ってその内面が支柱１全周の約２／３程度に当接する帯状部３１が間隔をあけて二個備えられており、該帯状部３１の両端に相対向して縦板状の柵ビーム取付部３２が形成され、該柵ビーム取付部３２には柵ビーム２を取付ける柵ビーム取付ボルトＢ１を水平方向に挿入可能な取付孔３３が穿設されている。
【００１３】
第２金具４は、支柱１の側面に沿ってその内面が支柱１全周の約２／３程度に当接する帯状部４１が間隔をあけて二個備えられており、該帯状部４１の両端に相対向して縦板状の柵ビーム取付部４２が形成され、該柵ビーム取付部４２には柵ビーム２を取付ける柵ビーム取付ボルトＢ１を水平方向に挿入可能な取付孔４３が穿設されている。また、第１金具３の二個の帯状部３１の間に第２金具４の二個の帯状部４１が位置するようになされ、第１金具３の帯状部３１と第２金具４の帯状部４１とが支柱１に当接されると共に第２金具４の前記二個の帯状部４１の間において支柱１に締着された金具取付ボルトＢ２により、第２金具４の支柱１に対する上下動が阻止されるようになされている。つまり、第２金具４の二個の帯状部４１の間隔は、第１金具３の二個の帯状部３１の間隔より幅狭に形成されており、取付金具を支柱１に取付ける金具取付ボルトＢ２のネジ直径よりやや大きく形成され、金具取付ボルトＢ２の首が二個の帯状部４１に係り、金具取付ボルトＢ２を二個の帯状部４１間に挿通し、支柱１を貫通させて締着すれば、金具取付ボルトＢ２の首が第２金具４の二個の帯状部４１を両方係止するようになされている。
【００１４】
第１金具３及び第２金具４の両端に相対向して形成された二個の柵ビーム取付部３２間及び４２間の幅は、柵ビーム２を２個の柵ビーム取付部３２間及び４２間に保持し、柵ビーム取付ボルトＢ１を水平方向に挿通・螺着できるように、少なくとも柵ビーム２の外径より幅広な幅寸法となされている。
【００１５】
次に、柵ビーム２を支柱１に取付ける方法について説明する。
まず、第１金具３の二個の帯状部３１の間に第２金具４の二個の帯状部４１を位置するようになし、第１金具３の帯状部３１の内面と第２金具４の帯状部４１の内面とを面一にして、支柱１の上方からその側面に沿うように当接させ、支柱１の前面側と背面側に穿設した金具取付用ボルト孔１１と、第２金具の二個の帯状部４１の間とを合わせて金具取付ボルトＢ２を金具取付用ボルト孔１１に挿通し締着する。かようにすることで、金具取付ボルトＢ２の首が二個の帯状部４１に係り、金具取付ボルトＢ２の首が第２金具４の二個の帯状部４１を両方係止して、第２金具４が支柱１に固定され、第２金具４の支柱１に対する上下動を阻止することができる。また、第１金具３の正面視上側の帯状部３１下端が第２金具４の正面視上側の帯状部４１上端で係止されるので、第１金具３が支柱１の下方にズレ落ちることもなく、一個の金具取付ボルトＢ２を締着するだけで、二個の取付金具を支柱１に取付けることができ、施工性の良いものとなし得る。
【００１６】
尚、支柱１の側方より第２金具４のビーム取付部４２間の幅をやや拡幅するようにして、支柱１に第２金具４を嵌挿し、その外側から第１金具３のビーム取付部３２間の幅をやや拡幅するようにして嵌挿し、上記のように、支柱１の金具取付用ボルト孔１１と、第２金具の二個の帯状部４１の間とを合わせて金具取付ボルトＢ２を金具取付用ボルト孔１１に挿通し締着することも可能である。この方法によれば、支柱１より大径のキャップ１２を支柱１に予め取付けた状態であっても、柵ビーム２を取付けることができるという長所を有する。
【００１７】
次に、第１金具３及び第２金具４の相対向する柵ビーム取付部３２間及び４２間に柵ビーム２を配設し、柵ビーム取付孔２１及び取付孔３３、４３に柵ビーム取付ボルトＢ１を水平方向に挿通し、ワッシャＷとナットＮとで螺着し、柵ビーム２の取付けを完了する。
【００１８】
次に、図４〜６に記載の本発明に係る柵のビーム取付構造の別の実施形態について説明する。尚、図１〜３に記載の実施形態と同一の符号のものについては、説明を省略する。
本形態において、取付金具は第２金具５と第１金具６とで構成されており、第２金具５は、支柱１の側面に沿ってその内面が支柱１全周の約５／６程度に当接する帯状部５１が間隔をあけて三個備えられており、該帯状部５１の両端に相対向して縦板状の柵ビーム取付部５２を、基端から先端に向けて拡幅させ、その先で略平行となるように形成し、該柵ビーム取付部５２には柵ビーム２を取付ける柵ビーム取付ボルトＢ１を水平方向に挿入可能な取付孔５３が穿設されている。また、二個の取付部５３の下端からそれぞれ内方に向かい平板状の突片５４が設けられている。
【００１９】
また、三個の帯状部５１のうち、正面視における上側と真中の二個の帯状部５１の間隔は、取付金具を支柱１に取付ける金具取付ボルトＢ２のネジ直径よりやや大きく形成され、金具取付ボルトＢ２の首が当該二個の帯状部５１に係り、金具取付ボルトＢ２を当該２個の帯状部５１間に挿通し、支柱１を貫通させて締着すれば、金具取付ボルトＢ２の首が第１金具５の正面視における上側と真中の二個の帯状部５１を両方係止するようになされている。
【００２０】
第１金具６は、支柱１の側面に沿ってその内面が支柱１全周の約５／６程度に当接する帯状部６１が間隔をあけて二個備えられており、該帯状部６１の両端に相対向して縦板状の柵ビーム取付部６２を、基端から先端に向けて拡幅させ、その先で略平行となるように形成し、該柵ビーム取付部６２には柵ビーム２を取付ける柵ビーム取付ボルトＢ１を水平方向に挿入可能な取付孔６３が穿設されている。また、二個の取付部６３の下端からそれぞれ内方に向かい平板状の突片６４が設けられている。なお、二個の帯状部６１の間隔は、第２金具５の正面視における上側と真中の二個の帯状部５１を二個の帯状部６１の間に嵌めこむことができるものとなされている。
【００２１】
第２金具５及び第１金具６の相対向する二個の柵ビーム取付部５２間及び６２間の略平行な部分の幅は、柵ビーム２を二個の柵ビーム取付部５２間及び６２間に保持し、柵ビーム取付ボルトＢ１を水平方向に挿通し締着できるように、少なくとも柵ビーム２の外径より幅広な幅寸法となされている。
【００２２】
次に、本形態における柵ビーム２を支柱１に取付ける方法について説明する。
まず、第１金具６の二個の帯状部６１の間に、第２金具５の正面視における上側と真中の二個の帯状部５１を位置するようになし、第２金具５の帯状部５１の内面と第１金具６の帯状部６１の内面とを面一にして、支柱１の上方からその側面に沿うように当接させ、支柱１の前面側と背面側に穿設した金具取付用ボルト孔１１と、第２金具５の正面視における上側と真中の二個の帯状部５１の間とを合わせて金具取付ボルトＢ２を金具取付用ボルト孔１１に挿通し締着する。かようにすることで、金具取付ボルトＢ２の首が第２金具５の二個の帯状部５１に係り、金具取付ボルトＢ２の首が第２金具５の二個の帯状部５１を両方係止して、第２金具５が支柱１に固定され、第２金具５の支柱１に対する上下動を阻止することができる。また、第１金具６の上側の帯状部６１下端は、第２金具５の正面視上側の帯状部５１上端で係止されるので、第１金具６が支柱１の下方にズレ落ちることもなく、一個の金具取付ボルトＢ２を締着するだけで、二個の取付金具を支柱１に取付けることができ、施工性の良いものとなし得る。
【００２３】
また、本形態においては、図１に記載の実施形態に比べ、第２金具５と第１金具６の帯状部５１と６１が支柱１に当接する部分を大きくなしているので、平面視において第２金具５と第１金具６とのなす内側の角度が略９０°の場合でも、金具取付ボルトＢ２に螺着するナットが取付金具に干渉することなく柵体を施工することができるので好ましい。
【００２４】
また、本形態における柵ビーム２を支柱１に取付ける方法については、図１に示す上記のものと略同様であるが、第２金具５の柵ビーム取付部５３と第１金具６の柵ビーム取付部６３の下端にはそれぞれ内方に向かい平板状の突片５４、６４が設けられているので、柵ビーム２を取付金具に取付ける際、突片５４、６４に柵ビーム２を仮置きすることができ、取付作業の効率を更に向上させることができる。
【産業上の利用可能性】
【００２５】
本発明に係る柵のビーム取付構造によれば、取付金具を第１金具と第２金具から構成し、前記第１金具及び第２金具を、支柱側面に周状にその内面が当接する帯状部を間隔をあけて少なくとも二個以上備えると共に、前記帯状部の両端に相対向して形成した縦板状の柵ビーム取付部に柵ビームを取付け、第１金具の二個の帯状部の間に第２金具の二個の帯状部が位置するようにして、第１金具の帯状部と第２金具の帯状部とを支柱に当接すると共に第２金具の前記二個の帯状部の間において支柱に締着された金具取付ボルトにより、第２金具の支柱に対する上下動を阻止するようになしているため、第１金具と第２金具とを同時に一個の金具取付ボルトで支柱に締着することができ、施工性を大幅に向上させることができる柵のビーム取付構造として、好適に利用することができる。
【図面の簡単な説明】
【００２６】
【図１】本発明に係る柵のビーム取付構造の実施の一形態を示す分解斜視図である。
【図２】図１に示す取付金具のうち第１金具の、（イ）は正面図、（ロ）は右側面図、（ハ）は平面図である。
【図３】図１に示す取付金具のうち第２金具の、（イ）は正面図、（ロ）は右側面図、（ハ）は平面図である。
【図４】本発明に係る柵のビーム取付構造の別の実施形態を示す分解斜視図である。
【図５】図４に示す取付金具のうち第１金具の、（イ）は正面図、（ロ）は右側面図、（ハ）は平面図である。
【図６】図４に示す取付金具のうち第２金具の、（イ）は正面図、（ロ）は右側面図、（ハ）は平面図である。
【符号の説明】
【００２７】
１    支柱
１１  金具取付用ボルト孔
１２  キャップ
２    柵ビーム
２１  柵ビーム取付孔
３    第１金具
３１  帯状部
３２  柵ビーム取付部
３３  取付孔
４    第２金具
４１  帯状部
４２  柵ビーム取付部
４３  取付孔
５    第２金具
５１  帯状部
５２  柵ビーム取付部
５３  取付孔
５４  突片
６    第１金具
６１  帯状部
６２  柵ビーム取付部
６３  取付孔
６４  突片
【図１】
2008019624.tif 000003
【図２】
2008019624.tif 000004
【図３】
2008019624.tif 000005
【図４】
2008019624.tif 000006
【図５】
2008019624.tif 000007
【図６】
2008019624.tif 000008